(57)【特許請求の範囲】
【請求項１】
電気電子機器収納用キャビネットの四隅に立設される縦フレームであって、キャビネットの外壁面と平行で、かつこの外壁面からキャビネットの内側に入った位置にあり、キャビネットの外壁側から作業可能な機器取付孔を有する外側取付成形辺と、この外側取付成形辺と平行で、かつこの成形辺よりもさらにキャビネットの内側に入っており、キャビネット内室側から作業可能な機器取付孔を有する内側取付成形辺と、前記外側取付成形辺および内側取付成形辺に対して垂直で、かつキャビネットのコーナー部から遠い側に位置し、機器取付孔を有する垂直取付成形辺とを備えたことを特徴とする電気電子機器収納用キャビネットの縦フレーム。
【請求項２】
キャビネットのコーナー部に位置する第１中空部と、この第１中空部から内室方向に突出した第２中空部とを備え、この第２中空部に外側取付成形辺と内側取付成形辺と垂直取付成形辺とを設けた請求項１記載の電気電子機器収納用キャビネットの縦フレーム。
【請求項３】
外側取付成形辺の機器取付孔と、内側取付成形辺の機器取付孔とを、前記キャビネットの外壁面と直交する他のキャビネットの外壁面から略等距離に設けた請求項１または２に記載の電気電子機器収納用キャビネットの縦フレーム。
【発明の詳細な説明】
【０００１】
【発明の属する技術分野】
本発明は、配電盤キャビネット、通信キャビネット、ラックなどの電気電子機器収納用キャビネットの四隅に立設される縦フレームに関するものである。
【０００２】
【従来の技術】
電気電子機器収納用キャビネットは、図５に示すようにベースの四隅に縦フレームを立設し、これらの縦フレーム間に側面パネル１、前面扉２、後面パネル３等を取り付けて構成されるのが普通である。従来は図５のように断面が四角形で中空の縦フレームが用いられており、その内側２辺に形成された機器取付孔４を利用して、機器取付レール、配線支持バー、配線ダクト等の内部機器を取り付けていた。しかしこの構造は機器取付辺の数が少ないため、近年における内部機器の多様化に対応することができなかった。
【０００３】
そこで図６に示すように、中空フレームの内部に凹部を設け、４辺に機器取付孔４を設けた縦フレームも開発されている。このような構造としておけば、横方向、奥行き方向とも段差を持った２ヶ所の機器取付辺が構成され、同一高さに２種類の内部機器を取り付けることができる。
【０００４】
しかしながら、図７に示すようにこの縦フレームでは外壁方向の辺5、６は全て前面扉２や側面パネル１の外壁７に当接し、外壁から内部に入る辺８、９及び縦フレーム内部の凹部の辺１０，１１に機器取付孔４を設けていたので、内部機器を取り付ける際にはキャビネットの内部から外壁７に向かう方向にねじ止めする作業が必要となり、作業性が悪かった。しかも、図７に示されるように、取付位置によって長さの異なる２種類の機器取付レール１２を作成しなければならないという問題もあった。
【０００５】
また、例えば側部に機器取付レール１２を取り付ける場合には、側部と平行な辺である辺９又は辺１０に取り付けるのであるが、前側の縦フレームに取り付ける場合には前面扉２を開いて前面側から作業を行ない、後側の縦フレームに取り付ける場合には後面パネル３を取り外して背面側から行なわねばならない。このように前面側と背面側の両方から作業しなければならず、作業性が悪かった。また、既に使用中のキャビネットの場合には、内部機器に干渉するため取り付けが非常に困難であった。
【０００６】
このほか、図８に示すように辺１０に内部機器を取り付ける場合には、前面側のある角度範囲でしか機器取付孔４を目視することができず、作業性が悪かった。さらにこのほか、図８に示すように辺１０に機器取付レール１２を取り付け、辺９に配線ダクト１４を取り付けたものでは、一度配線ダクト１４を取り付けてしまうと、その後に追加して側部に機器取付レール１２を取り付けようとしても、そのままでは取付が不可能であり、配線ダクト１４を取り外さねばならないという不便があった。
【０００７】
【発明が解決しようとする課題】
本発明は上記した従来の問題点を解決して、内部機器の取付けの作業性がよい電気電子機器収納用キャビネットの縦フレームを提供することを主な目的とするものである。また本発明のその他の目的は、多数の機器取付辺を確保することができ、内側取付けと外側取付けのいずれの場合にも同じ長さの機器取付レール等を使用することができる電気電子機器収納用キャビネットの縦フレームを提供することである。
【０００８】
【課題を解決するための手段】
上記の課題を解決するためになされた本発明は、電気電子機器収納用キャビネットの四隅に立設される縦フレームであって、キャビネットの外壁面と平行で、かつこの外壁面からキャビネットの内側に入った位置にあり、キャビネットの外壁側から作業可能な機器取付孔を有する外側取付成形辺と、この外側取付成形辺と平行で、かつこの成形辺よりもさらにキャビネットの内側に入っており、キャビネット内室側から作業可能な機器取付孔を有する内側取付成形辺と、前記外側取付成形辺および内側取付成形辺に対して垂直で、かつキャビネットのコーナー部から遠い側に位置し、機器取付孔を有する垂直取付成形辺とを備えたことを特徴とするものである。
【０００９】
【００１０】
また、キャビネットのコーナー部に位置する第１中空部と、この第１中空部から内室方向に突出した第２中空部とを備え、この第２中空部に外側取付成形辺と内側取付成形辺と垂直取付成形辺とを設けた構造とすることができる。なお、外側取付成形辺の機器取付孔と、内側取付成形辺の機器取付孔とを、前記キャビネットの外壁面と直交する他のキャビネットの外壁面から略等距離に設けた構造とすることが好ましい。
【００１１】
【発明の実施の形態】
以下に本発明の好ましい実施形態を示す。
図１は本発明の縦フレームの実施形態を示す図であり、この縦フレームは図２のように電気電子機器収納用キャビネットの四隅に立設され、側面パネル１、前面扉２、後面パネル３等を取り付けて構成されることは従来品と同様である。
【００１２】
この実施形態の縦フレームは、キャビネットのコーナー部２０に位置する第１中空部２１と、この第１中空部２１からキャビネットの内室方向に突出した第２中空部２２とを備えた構造を持つ。第１中空部２１の周囲には、第１成形辺２３、第２成形辺２４、第３成形辺２５、第４成形辺２６が隣接する成形辺間が直角に折り曲げられた形状で連続して設けられている。また第２中空部２２の周囲には、第５成形辺２７、第６成形辺２８、第７成形辺２９、第８成形辺３０が隣接する成形辺間が直角に折り曲げられた形状で連続して設けられている。
【００１３】
第２成形辺２４と第３成形辺２５とは、キャビネットの外壁面を構成する前面扉２と、側面パネル１とに接する辺であり、機器取付孔は形成されていない。しかしその他の各成形辺には全て機器取付孔４が形成されている。
【００１４】
第２中空部２２の第５成形辺２７が請求項１の外側取付成形辺に相当するものであり、キャビネットの外壁面（側面パネル１又は第３成形辺２５）と平行で、かつこの外壁面からキャビネットの内側に入った位置にある。この第５成形辺２７に形成された機器取付孔４は、キャビネットの外壁側から作業可能となっている。
【００１５】
また第２中空部２２の第７成形辺２９が、請求項１の内側取付成形辺に相当するものである。この第７成形辺２９は、外側取付成形辺である第５成形辺２７と平行で、かつこの第５成形辺２７よりもさらにキャビネットの内側に入っている。そしてこの第７成形辺２９に形成された機器取付孔４は、キャビネット内室側から作業可能となっている。
【００１６】
さらに第２中空部２２の第６成形辺２８が、請求項１の垂直取付成形辺に相当するものである。この第６成形辺２８は、外側取付成形辺（第５成形辺２７）および内側取付成形辺（第７成形辺２９）に対して垂直で、かつキャビネットのコーナー部２０から遠い側に位置し、機器取付孔４を有するものである。
【００１７】
なお、請求項３に示すように、外側取付成形辺（第５成形辺２７）の機器取付孔４と、内側取付成形辺（第７成形辺２９）の機器取付孔４とを、キャビネットの外壁面（側面パネル１）と直交する他のキャビネットの外壁面（前面扉２）から略等距離に設けた構造となっている。
【００１８】
図３と図４は縦フレームの断面形状を変形させた他の実施形態を示す図である。この実施形態は第１中空部２１のコーナー部に蝶番取付用の長方形凹部４０を設けるとともに、前記の第８成形辺３０を斜めの短辺としたものである。第２成形辺２４と第３成形辺２５と第８成形辺３０には、機器取付孔は形成されていない。しかし、第１中空部２１の第１成形辺２３、第４成形辺２６、第２中空部２２の第５成形辺２７、第６成形辺２８、第７成形辺２９の各成形辺には全て機器取付孔４が形成されている。他の構成は第１の実施形態と同様であるから、対応する部分に同一の番号を付して説明を省略する。
【００１９】
以上の実施形態で説明したものは、成形辺と成形辺との関係を説明したものである。例えば第６成形辺２８と第７成形辺２９は直接に接続されて垂直の関係を持っているが、この他にも間接的に斜めや凹部等の付加接続面で接続されていてもよい。重要なのは、上記した位置関係の辺が存在することで、直接に接続されているものに限定されるものではない。
【００２０】
このように構成された本発明の縦フレームでは、側部の外側から機器取付レール１２を取付ける場合には、図３に示すように側面パネル１を外し、ネジ４１により外側取付成形辺（第５成形辺２７）の機器取付孔４に容易に固定することができる。（請求項１の発明の効果）
【００２１】
また図４のように配線ダクト４２等の他の部品を取り付ける場合には縦フレームの両側から作業を行なうこととなるが、この場合にも第２中空部２２は第１中空部２１よりも内室方向に突出しているため、図９のように斜めに見なくても機器取付孔４を直視することができ、作業性がよい。また外側取付成形辺（第５成形辺２７）に取り付けた機器取付レール１２と、内側取付成形辺（第７成形辺２９）に取付けた配線ダクト４２とを同一高さとすることもできる。（請求項１の発明の効果）
【００２２】
さらに外側取付成形辺（第５成形辺２７）の機器取付孔４と、内側取付成形辺（第７成形辺２９）の機器取付孔４とを、キャビネットの外壁面（側面パネル１）と直交する他のキャビネットの外壁面（前面扉２）から略等距離に設けたことにより、図３に示すように同一長さの機器取付レール１２、１２を内外両面に取付けることができる。このため、長さの異なる２種類の機器取付レール１２を作らなくてよい。（請求項３の発明の効果）なお図３では上記の機器取付孔４、４に位置がわずかにずれているが、機器取付レール１２の取付孔を長孔とすることで吸収させることができる。
【００２３】
上記した第２の実施形態では、第８成形辺３０を斜めの短辺としたが、その他にも第８成形辺３０自体をなくし、第７成形辺２９を第１成形辺２３と同一平面としてもよい。また、中空部は周囲を成形辺によって完全に囲まれたものとせず、成形辺の一部を切断した構造としてもよい。
【００２４】
【００２５】
【発明の効果】
以上に説明したように、本発明によれば下記の効果を得ることができる。
１．請求項１の発明によれば、側部に機器取付レールを取り付ける場合に側面パネルを取り外すだけで容易に取付けができ、従来のように前後両側から作業する必要はない。
２．請求項１の発明によれば、縦フレームの両側から機器取付レールを取り付けることができる。
３．請求項１の発明によれば、多数の機器取付面を確保することができるから、内部機器の多様化に対応することができる。
４．請求項２の発明によれば、強固なフレームとなる。
５．請求項３の発明によれば、内側取付けと外側取付けの両方で同じ長さの機器取付レールを取り付けることができる。
【図面の簡単な説明】
【図１】第１の実施形態を示す断面図である。
【図２】キャビネットの水平断面図である。
【図３】第２の実施形態の縦フレームの前後に、機器取付レールを取り付けた状態を示す水平断面図である。
【図４】第２の実施形態の縦フレームの前後に、機器取付レールと配線ダクトとを取付けた状態を示す水平断面図である。
【図５】従来例を示す水平断面図である。
【図６】他の従来例を示す水平断面図である。
【図７】図６の従来例の問題点を示す水平断面図である。
【図８】図６の従来例の他の問題点を示す水平断面図である。
【符号の説明】
１  側面パネル１
２  前面扉
３  後面パネル
４  機器取付孔
５  外壁方向の辺
６  外壁方向の辺
７  外壁
８  外壁から内部に入る辺
９  外壁から内部に入る辺
１０  凹部の辺
１１  凹部の辺
１２  機器取付レール
１４  配線ダクト
２０  キャビネットのコーナー部
２１  第１中空部
２２  第２中空部
２３  第１成形辺
２４  第２成形辺
２５  第３成形辺
２６  第４成形辺
２７  第５成形辺（外側取付成形辺）
２８  第６成形辺（垂直取付成形辺）
２９  第７成形辺（内側取付成形辺）
３０  第８成形辺
４０  蝶番取付用の長方形凹部
４１  ネジ
４２  配線ダクト
【図１】
0003678994.tif 000002
【図２】
0003678994.tif 000003
【図３】
0003678994.tif 000004
【図４】
0003678994.tif 000005
【図５】
0003678994.tif 000006
【図６】
0003678994.tif 000007
【図７】
0003678994.tif 000008
【図８】
0003678994.tif 000009